(57)【要約】【課題】複数個のプリズム構成体を貼り合せて固着する接着剤の量に厳格な制約を設けなくとも、各プリズム構成体を光学特性上の問題等を招くことなく簡単且つ適正に貼着できるようにする。【解決手段】基本形状が三角柱状をなし且つ屈折率が同一もしくは略同一とされた複数個のプリズム構成体２、３を、それぞれの一または複数の面同士を接着剤を使用して貼り合わせて固着することにより、四つの外面２ａ、２ｂ、３ｃ、３ｄがそれぞれコーナー部を介して連なる四角柱状に形成すると共に、その貼り合わせ面４で光が波長成分に応じて透過及び反射するように構成し、且つ複数個のプリズム構成体２、３における貼り合わせ面４が外面またはコーナー部に達している部位に、貼り合わせ面４に通じる切欠き部４ｘをそれぞれ形成し、これらの切欠き部４ｘに、貼り合わせ面４から食み出た接着剤Ｓが溜められた状態で固化して付着している。【選択図】図１
2009168940.tif 000002
【特許請求の範囲】
【請求項１】
基本形状が三角柱状をなし且つ屈折率が同一もしくは略同一とされた複数個のプリズム構成体を、それぞれの一または複数の面同士を接着剤を使用して貼り合わせて固着することにより、四つの外面がそれぞれコーナー部を介して連なる四角柱状に形成すると共に、その貼り合わせ面の少なくとも一の面で光が波長成分に応じて透過及び反射するように構成された光分離プリズムにおいて、
前記複数個のプリズム構成体における貼り合わせ面が、前記外面またはコーナー部に達している部位に、該貼り合わせ面に通じる切欠き部を形成し、その切欠き部に、前記貼り合わせ面から食み出た接着剤が溜められた状態で固化して付着していることを特徴とする光分離プリズム。
【請求項２】
前記切欠き部は、前記プリズム構成体の角部に面取りを施すことにより形成されていることを特徴とする請求項１に記載の光分離プリズム。
【請求項３】
前記切欠き部は、柱軸と直交する断面が、前記貼り合わせ面の側端部に頂角部を有するＶ字形状をなしていることを特徴とする請求項１または２に記載の光分離プリズム。
【請求項４】
前記切欠き部は、前記Ｖ字形状の頂角部が９０度もしくは略９０度であることを特徴とする請求項３に記載の光分離プリズム。
【請求項５】
前記接着剤は、紫外線硬化型接着剤または熱硬化型接着剤であることを特徴とする請求項１〜４の何れかに記載の光分離プリズム。
【請求項６】
前記プリズム構成体を二個備え、その二個のプリズム構成体を、それぞれの底面同士を接着剤を使用して貼り合わせて固着すると共に、その二個のプリズム構成体における貼り合わせ面の一側端及び他側端に存するコーナー部に、該貼り合わせ面に通じる前記切欠き部をそれぞれ形成したことを特徴とする請求項１〜５の何れかに記載の光分離プリズム。
【請求項７】
前記切欠き部は、前記二個のプリズム構成体におけるそれぞれの底面の両側端に存する角部に面取りを施すことにより形成されていることを特徴とする請求項６に記載の光分離プリズム。
【請求項８】
前記切欠き部は、前記貼り合わせ面を基準としてその両側に対称となる凹形状に形成されていることを特徴とする請求項６または７に記載の光分離プリズム。
【請求項９】
前記四つの外面は、一方のプリズム構成体の底面と向かい合う角部を境界として隣接する第一の外面及び第二の外面と、他方のプリズム構成体の底面と向かい合う角部を境界として隣接する第三の外面及び第四の外面とからなり、前記第一の外面と第四の外面との境界部、及び前記第二の外面と第三の外面との境界部に、それぞれ前記切欠き部が形成されると共に、前記第四の外面は、光ファイバが挿通固定されたフェルールの端面に貼り合わされて固着される面であり、前記第二の外面は、発光素子からの光が直交するように照射される面であり、前記第三の外面は、前記貼り合わせ面で反射した光ファイバからの光が受光素子側に直交して抜け出る面であり、前記貼り合わせ面は、光ファイバの光軸と４５度の傾斜角を持つ面であることを特徴とする請求項６〜８の何れかに記載の光分離プリズム。
【請求項１０】
前記一方のプリズム構成体の底面と第二の外面とのなす角度が４５度に形成されると共に、前記他方のプリズム構成体の底面と第三の外面とのなす角度が４５度に形成され、且つ、前記第三の外面と第四の外面とのなす角度が鈍角に形成されていることを特徴とする請求項９に記載の光分離プリズム。
【請求項１１】
前記第三の外面にフィルタ膜が形成されていることを特徴とする請求項９または１０に記載の光分離プリズム。
【請求項１２】
前記第一の外面と第二の外面とに反射防止膜が形成されていることを特徴とする請求項９〜１１の何れかに記載の光分離プリズム。
【請求項１３】
前記二個のプリズム構成体を備えてなる四つの外面のうち一の外面に、基本形状が四角柱状をなし且つ屈折率が前記プリズム構成体と同一もしくは略同一とされた四角柱状プリズム構成体の一の面を接着剤を使用して貼り合わせて固着し、該四角柱状プリズム構成体にその貼り合わせ面の両側端に通じる欠落部をそれぞれ形成し、これらの欠落部と前記一の外面とのそれぞれの連接部に、該貼り合わせ面から食み出た接着剤が溜められた状態で固化して付着していることを特徴とする請求項６〜８の何れかに記載の光分離プリズム。
【発明の詳細な説明】
【技術分野】
【０００１】
本発明は、主たる構成要素としての基本形状が三角柱状をなす複数個のプリズム構成体を、それぞれの一または複数の面同士を接着剤を使用して貼り合わせて固着してなる光分離プリズムに関する。
【背景技術】
【０００２】
周知のように、例えば光ファイバを用いて光通信を行う際には、その光伝送径路の途中に、一の方向への光（所定波長成分の光）を直進させるべく透過させる一方で、その逆方向への光（他の所定波長成分の光）を直角に屈曲させるべく反射させるための光分離プリズムを介在させることが広汎に亘って行われている。この種の光分離プリズムは、特許文献１、２に開示されているように、二個の直角二等辺三角柱状のプリズム構成体（プリズム片）を、それぞれの底面同士を波長分離膜を介して貼り合わせることにより、全ての隣接する面のなす角度が９０度とされた断面が正方形の直方体または立方体として構成されるのが通例である。
【０００３】
詳述すると、図１０に示すように、光分離プリズム３１は、一方の第一プリズム構成体３２における底面と向かい合う角部（直角部）を境界として隣接する第一の外面３２ａ及び第二の外面３２ｂと、他方の第二プリズム構成体３３における底面と向かい合う角部（直角部）を境界として隣接する第三の外面３３ｃ及び第四の外面３３ｄとを有し、第一の外面３２ａと第四の外面３３ｄとが貼り合わせ面３４を境界として隣接すると共に、第二の外面３２ｂと第三の外面３３ｃとが貼り合わせ面３４を境界として隣接するように形成されている。
【０００４】
この光分離プリズムを使用した光通信システムの一例としては、同図に示すように、光ファイバ３５が挿通固定されたフェルール３６の端面３６ａに、光分離プリズム３１の第四の外面３３ｄを貼り付けると共に、光ファイバ３５の光軸に対して光分離プリズム３１の貼り合わせ面３４が４５度の角度で傾斜するように且つ第二の外面３２ｂが光ファイバ３５の光軸と直交するように配置することが行われる。そして、この光通信システムによる光伝送は、レーザーダイオード等の発光素子３７から光分離プリズム３１の第二の外面３２ｂに向かって照射した光Ｘ１の所定波長成分を、その貼り合わせ面３４を直進させながら透過させて光ファイバ３５に入射させる一方で、光ファイバ３５の先端から出射した光Ｙ１の他の所定波長成分を、光分離プリズム３１の貼り合わせ面３４で直角に屈曲するように反射させて第三の外面３３ｃを透過させた後に、フォトダイオード等の受光素子３８により受光させるようになっている。なお、光分離プリズム３１の屈折率は、光ファイバ３５の屈折率よりも高くされている。
【０００５】
【特許文献１】特開２０００−１６２４１３号公報
【特許文献２】特開２０００−１８０６７１号公報
【発明の開示】
【発明が解決しようとする課題】
【０００６】
ところで、上記の光分離プリズム３１を製作する際には、第一プリズム構成体３２の底面と、第二プリズム構成体３３の底面との間に、例えば紫外線硬化型もしくは熱硬化型の接着剤を充填させることが行なわれるが、その接着剤の量を適切量に調整することが極めて困難であることから、以下に示すような問題が生じる。
【０００７】
すなわち、接着剤の量が過度に少ない場合には、二個のプリズム構成体３２、３３の貼り合わせ面３４に、接着剤層の存在しない空間が生じることになり、これに起因して接着強度が低下するばかりでなく、貼り合わせ面３４に水が侵入するなどして耐水性が阻害され、更には光損失が発生するという光学特性上の問題をも招く。これに対して、接着剤の量が過度に多い場合には、貼り合わせ面３４から外面３２ａ、３２ｂ、３３ｃ、３３ｄの何れか、つまり光路面に接着剤が溢れ出て固化するため、これによっても光損失の発生を招来する。したがって、接着剤の量が過多及び過少の何れであっても、歩留まりが低下するのはもとより、光学特性面における入念且つ煩雑な選別作業が必要となり、製作コストの高騰を引き起こす。
【０００８】
なお、光分離プリズムには、上記の構成以外に、以下に示すようなものが存在している。すなわち、図１１に示す光分離プリズム４１は、上記と同様に二個の三角柱状のプリズム構成体４２、４３を底面同士を貼り合わせて形成された四つの外面のうちの一の外面４３ｃに、四角柱状プリズム構成体４４を接着剤を使用して貼り合わせて固着することにより、全体として四角柱状（断面が平行四辺形）をなすように構成したものである。また、図１２に示す光分離プリズム５１は、四個の三角柱状のプリズム構成体５２をそれぞれの底面５２ａが四つの外面を形成するように、それぞれの二面同士を接着剤を使用して貼り合わせて固着することにより、全体として四角柱状をなすように構成したものである。更に、図１３に示す光分離プリズム６１は、中央の三角柱状のプリズム構成体６２の両側二面にそれぞれ三角柱状のプリズム構成体６３の一面を接着剤を使用して貼り合わせて固着することにより、全体として四角柱状をなすように構成したものである。
【０００９】
そして、図１１に示す光分離プリズム４１は、同図に符号ａで示す光は直進するが、符号ｂで示す光は貼り合わせ面４５で反射した後に直進するのに対して、残りの一部が符号ｃで示すように更に貼り合わせ面４５と貼り合わせ面４ｂとで反射することになる。また、図１２に示す光分離プリズム５１は、光の一部が符号ｄで示すように直進するが、残りの一部は符号ｅで示すように貼り合わせ面５４で反射し、更に残りの一部は符号ｆで示すように貼り合わせ面５５で反射することになる。また、図１３に示す光分離プリズム６１は、光の一部が符号ｇで示すように直進するが、残りの一部は符号ｈで示すように貼り合わせ面６４で反射し、更に残りの一部は符号ｉで示すように貼り合わせ面６５で反射することになる。
【００１０】
以上の図１１、図１２、図１３に示す何れの光分離プリズム４１、５１、６１についても、貼り合わせ面４５、４ｂ、５３、５４、５５、５６、６４、６５に充填させる接着剤の量を適切量に調整することが極めて困難であることから、既述の場合と同様の問題が生じる。
【００１１】
本発明は、上記事情に鑑み、複数個のプリズム構成体を貼り合せて固着する接着剤の量に厳格な制約を設けなくとも、各プリズム構成体を光学特性上の問題等を招くことなく簡単且つ適正に貼着できるようにすることを技術的課題とする。
【課題を解決するための手段】
【００１２】
上記技術的課題を解決するために創案された本発明は、基本形状が三角柱状をなし且つ屈折率が同一もしくは略同一とされた複数個のプリズム構成体を、それぞれの一または複数の面同士を接着剤を使用して貼り合わせて固着することにより、四つの外面がそれぞれコーナー部を介して連なる四角柱状に形成すると共に、その貼り合わせ面の少なくとも一の面で光が波長成分に応じて透過及び反射するように構成された光分離プリズムにおいて、前記複数個のプリズム構成体における貼り合わせ面が、前記外面またはコーナー部に達している部位に、該貼り合わせ面に通じる切欠き部を形成し、その切欠き部に、前記貼り合わせ面から食み出た接着剤が溜められた状態で固化して付着していることに特徴づけられる。ここで、「屈折率が同一もしくは略同一」とは、第一プリズム構成体の屈折率と、第二プリズム構成体の屈折率とが、完全に同一である場合のみならず、多少相違していても以下に述べる作用効果が得られるように実質的に同一である場合をも含むことを意味する。更に、「貼り合わせ面で光が波長成分に応じて透過及び反射するように構成」するためには、貼り合わせ面を構成している二面のうち何れか一方のプリズム構成体の面にフィルタ膜を形成すればよい。
【００１３】
このような構成によれば、複数個のプリズム構成体のそれぞれの一面間または複数の面間に介在させる接着剤の量を、貼り合わせ面に過不足なく充当するために必要な接着剤の最適量よりも若干多量としておけば、貼り合わせ面に空間或いは空隙や気泡が生じることなく接着剤が充填された状態で、該接着剤が貼り合わせ面の外面側の端部またはコーナー部側の端部から食み出すことになる。その場合、この光分離プリズムにおける貼り合わせ面が外面またはコーナー部に達している部位には、貼り合わせ面に通じる切欠き部がそれぞれ形成されているので、貼り合わせ面から食み出した接着剤は、途切れることなくそれらの切欠き部に溜まり且つ固化して付着した状態となる。したがって、上記の貼り合わせ面から食み出した接着剤の量を、切欠き部から外面またはコーナー部に溢れ出ない程度の量としておくことによって、その食み出した接着剤を切欠き部に溜めて固化させることができるため、接着剤の量を厳格に調整せずとも、貼り合わせ面には空間等が生じることなく且つ不足することなく接着剤が充填されると共に、切欠き部から接着剤が溢れ出て外面で固化することもなくなる。これにより、光路面に異常な面部分が生じて光損失が発生する事態を回避できると共に、貼り合わせ面から切欠き部に至る接着剤が途切れることなく連続した層となるため、外部から貼り合わせ面への水の侵入が阻止されて耐水性の向上が図られる。
【００１４】
この場合、前記切欠き部は、前記プリズム構成体の角部に面取りを施すことにより形成されていることが好ましい。
【００１５】
この構成を詳細に説明すると、一のプリズム構成体の角部に面取りを施すと共に、他のプリズム構成体の角部にも面取りを施し、この両プリズム構成体を面取り部に連なる面同士を貼り合わせることにより、一のプリズム構成体の面取り部と他のプリズム構成体の面取り部との相互間に切欠き部が形成された状態となる。これによれば、面取りを施すという簡単な作業により切欠き部が形成されることになり、別途切欠き部を形成する必要がなくなるため、当該プリズムの製作作業の容易化が図られると共に、良好な態様で切欠き部を貼り合わせ面に通じさせることが可能となる。
【００１６】
また、前記切欠き部は、柱軸と直交する断面が、前記貼り合わせ面の側端部に頂角部を有するＶ字形状をなしていることが好ましい。
【００１７】
このようにすれば、切欠き部が接着剤の溜り部として良好な機能を発揮すると共に、切欠き部の形成作業が容易化される。
【００１８】
この場合、前記切欠き部は、前記Ｖ字形状の頂角部が９０度もしくは略９０度であることが好ましい。
【００１９】
このようにすれば、切欠き部が接着剤の溜り部として更なる良好な機能を発揮できることに加えて、接着剤の固化物の体積を適切化できることから、接着剤の量の自由度を十分に大きくすることが可能となる。
【００２０】
また、前記接着剤は、紫外線硬化型接着剤または熱硬化型接着剤であることが好ましい。
【００２１】
この種の接着剤であれば、粘性や固化性等の関連において上述の作用効果を十分に得ることができるばかりでなく、二個のプリズム構成体の貼着作業を容易に行うことが可能となる。
【００２２】
更に、前記プリズム構成体を二個備え、その二個のプリズム構成体を、それぞれの底面同士を接着剤を使用して貼り合わせて固着すると共に、その二個のプリズム構成体における貼り合わせ面の一側端及び他側端に存するコーナー部に、該貼り合わせ面に通じる前記切欠き部をそれぞれ形成することができる。
【００２３】
このようにすれば、一方のプリズム構成体の底面と他方のプリズム構成体の底面との間に介在させる接着剤の量を、貼り合わせ面に過不足なく充当するために必要な接着剤の最適量よりも若干多量としておけば、適切な接着剤の充填を確保した上で該接着剤が貼り合わせ面の一側端及び他側端から食み出すことになる。その場合、この光分離プリズムにおける貼り合わせ面の一側端及び他側端に存するコーナー部には、貼り合わせ面に通じる切欠き部がそれぞれ形成されているので、貼り合わせ面から食み出した接着剤は、途切れることなくそれらの切欠き部に溜まり且つ固化して付着した状態となる。
【００２４】
この場合、前記切欠き部は、前記二個のプリズム構成体におけるそれぞれの底面の両側端に存する角部に面取りを施すことにより形成されていることが好ましい。
【００２５】
この構成を詳細に説明すると、一方のプリズム構成体の底面の両側端に存する二つの角部に面取りを施すと共に、他方のプリズム構成体の底面の両側端に存する二つの角部に面取りを施し、この両プリズム構成体を底面同士を貼り合わせることにより、一方のプリズム構成体の各面取り部と他方のプリズム構成体の各面取り部との相互間にそれぞれ切欠き部が形成された状態となる。
【００２６】
また、この場合、前記切欠き部は、前記貼り合わせ面を基準としてその両側に対称となる凹形状に形成されていることが好ましい。
【００２７】
このようにすれば、貼り合わせ面から食み出した接着剤を、切欠き部に溜め且つ切欠き部から外面に溢れ出させないようにする上で好都合となる。
【００２８】
更に、この場合の光分離プリズムにおいて、前記四つの外面は、前記第一プリズム構成体の底面と向かい合う角部を境界として隣接する第一の外面及び第二の外面と、前記第二プリズム構成体の底面と向かい合う角部を境界として隣接する第三の外面及び第四の外面とからなり、前記第一の外面と第四の外面との境界部、及び前記第二の外面と第三の外面との境界部に、それぞれ前記切欠き部が形成されると共に、前記第四の外面は、光ファイバが挿通固定されたフェルールの端面に貼り合わされて固着される面であり、前記第二の外面は、発光素子からの光が直交するように照射される面であり、前記第三の外面は、前記貼り合わせ面で反射した光ファイバからの光が受光素子側に直交して抜け出る面であり、前記貼り合わせ面は、光ファイバの光軸と４５度の傾斜角を持つ面とすることができる。なお、第一、第二プリズム構成体の屈折率は、ＳｉＯ2ガラスからなる光ファイバの屈折率よりも通常高い。
【００２９】
このようにすれば、発光素子からの光は、光ファイバが挿通固定されたフェルールの端面に固着されている光分離プリズムの第二の外面と直交する方向を指向した状態で、該第二の外面を透過してその内部に侵入した後、二個のプリズム構成体の貼り合わせ面を所定波長成分が透過する。その場合、二個のプリズム構成体の屈折率は同一もしくは略同一であるため、上記の貼り合わせ面を透過した光は、直進して光ファイバ（コア）に入射される。一方、光ファイバの先端からの光は、光分離プリズムの第四の外面を透過してその内部に侵入し、二個のプリズム構成体の貼り合わせ面で上記とは異なる所定波長成分が直角に屈曲するように反射した後、第三の外面を透過して、外部のフォトダイオード等の受光素子により受光される。これにより、この光分離プリズムを使用した光通信システムの要部が得られる。
【００３０】
また、この場合、前記第一プリズム構成体の底面と第二の外面とのなす角度が４５度に形成されると共に、前記第二プリズム構成体の底面と第三の外面とのなす角度が４５度に形成され、且つ、前記第三の外面と第四の外面とのなす角度が鈍角に形成されていることが好ましい。
【００３１】
このようにすれば、光ファイバの光軸と光分離プリズムの第四の外面とが直交せずに傾斜した状態となるため、光ファイバの先端からの光は、第四の外面（フェルールの傾斜状端面との合わせ面）で傾斜状に反射し、光ファイバの光軸に沿って逆行する戻り光の発生が抑止される。また、発光素子からの光（その光軸）は、光分離プリズムの第二の外面と直交し且つ光ファイバの光軸と同一直線上に沿う方向を指向するために、第二の外面を透過してその内部に侵入する際には、光の屈折が生じず、更に二個のプリズム構成体の貼り合わせ面を所定波長成分が直進して透過した後は、光ファイバの光軸と同一直線上に沿って所謂０度で光ファイバ（コア）に入射されるため、結合効率の低下が適切に抑止されて、光伝送の損失が著しく減少する。以上の結果、戻り光が発生せず且つ結合効率の低下が抑止されてなる適正な特性を備えた光分離プリズムを得ることができる。
【００３２】
更に、この場合、前記第三の外面には、フィルタ膜が形成されていることが好ましい。
【００３３】
このようにすれば、光ファイバの先端からの光は、光分離プリズム内を進行して、二個のプリズム構成体の貼り合わせ面で反射して直角に屈曲した後、第二プリズム構成体における第三の外面を透過する際に、フィルタ膜の作用により二回目の波長領域選択がなされ、その後、外部の受光素子により受光される。これにより、光ファイバの先端から光分離プリズムを通過して受光素子に至る光は、受光用途に的確に合致した波長領域となる。
【００３４】
また、この場合、前記第一の外面と第二の外面とには、反射防止膜が形成されていることが好ましい。
【００３５】
このようにすれば、発光素子から光分離プリズムの第二の外面に直交するように照射された光が反射して受光素子側に逆行するという事態が防止されると共に、発光素子からの光が光分離プリズム内の貼り合わせ面で反射した後に第一の外面で更に反射して受光素子側に向かうという事態を回避する必要がある場合にも対処可能となる。しかも、第一プリズム構成体の隣接する二つの外面に反射防止膜が形成されていることから、一度のバッチ処理で膜形成作業が完了すると共に、この第一プリズム構成体の上記二つの外面が相互に入れ代わった状態で第二プリズム構成体に貼り合わされた場合であっても、上述の反射防止効果を適切に得ることができるため、貼り合わせ作業の簡略化を図ることが可能となる。
【００３６】
一方、この場合、前記二個のプリズム構成体を備えてなる四つの外面のうち一の外面に、基本形状が四角柱状をなし且つ屈折率が前記プリズム構成体と同一もしくは略同一とされた四角柱状プリズム構成体の一の面を接着剤を使用して貼り合わせて固着し、該四角柱状プリズム構成体にその貼り合わせ面の両側端に通じる欠落部をそれぞれ形成し、これらの欠落部と前記一の外面とのそれぞれの連接部に、該貼り合わせ面から食み出た接着剤が溜められた状態で固化して付着している構成とすることができる。
【００３７】
このようにすれば、四角柱状プリズム構成体の欠落部と、二個の三角柱状をなすプリズム構成体を貼り合わせてなる四角柱状体の一の外面との連接部が、上述の接着剤が溜められた状態で固化して付着する切欠き部の役割を果たすことになるため、基本形状が三角柱状をなすプリズム構成体の組み合わせである場合のみならず、これらと基本形状が四角柱状をなすプリズム構成体との組み合わせも可能となり、多種の光分離プリズムに本発明を適用することができる。
【００３８】
なお、以上の構成を備えた光分離プリズムの製造方法としては、次に示すような方法を使用することが好ましい。すなわち、柱軸方向に長尺であって基本形状が三角柱状をなし且つ面取りが施された複数の元プリズム構成体（場合によっては柱軸方向に長尺であって基本形状が四角柱状をなし且つ欠落部を有する元四角柱状プリズム構成体をも含む。以下、同様）を製作する製作工程と、前記複数の元プリズム構成体における所要の面にフィルタ膜または反射防止膜を形成する成膜工程と、前記複数個の元プリズム構成体のそれぞれの一または複数の面同士を接着剤により貼り合わせて四つの外面を有する元角柱プリズムを製作する貼着工程と、前記元角柱プリズムを柱軸方向の複数箇所で切断する切断工程とを有する製造方法である。
【００３９】
このような構成によれば、先ず、柱軸方向に長尺な複数本の元プリズム構成体を製作すると共に、これらの所要の面にフィルタ膜または反射防止膜を成膜した後、これらの一または複数の面同士を接着剤により貼り合わせて固着することにより元角柱プリズムを製作し、然る後、元角柱プリズムを柱軸方向の複数箇所で切断することにより、複数個の光分離プリズムを得ることができる。これにより、光分離プリズムを一個ずつ個別の作業によって製作する場合と比較して、作業の簡単化や迅速化が図られ、効率の良い量産化が実現することになる。特に、光分離プリズムが一辺の長さ２ｍｍ以下或いは数ｍｍの小型である場合に、その効果が十分に発揮される。そして、このような方法によっても、光分離プリズムにおける貼り合わせ面が外面またはコーナー部に達する部位に、接着剤が溜められた状態で固化して付着した状態となる。
【発明の効果】
【００４０】
以上のように本発明によれば、複数個のプリズム構成体のそれぞれの一面間または複数の面間に介在させる接着剤の量を、貼り合わせ面に過不足なく充当するために必要な接着剤の最適量よりも若干多量としておけば、該接着剤が貼り合わせ面の外面側の端部またはコーナー部側の端部から食み出すことになるが、該貼り合わせ面が外面またはコーナー部に達している部位には、貼り合わせ面に通じる切欠き部がそれぞれ形成されているので、貼り合わせ面から食み出した接着剤は、それらの切欠き部に溜まり且つ固化して付着した状態となる。したがって、上記の貼り合わせ面から食み出した接着剤の量を、切欠き部から外面またはコーナー部に溢れ出ない程度の量としておくことによって、その食み出した接着剤を切欠き部に溜めて固化させることができるため、接着剤の量を厳格に調整せずとも、貼り合わせ面には空間等が生じることなく且つ不足することなく接着剤が充填されると共に、切欠き部から接着剤が溢れ出て外面で固化することもなくなる。しかも、貼り合わせ面から切欠き部に至る接着剤は途切れることなく連続した層となるため、外部から貼り合わせ面への水の侵入が阻止されて耐水性の向上が図られる。
【発明を実施するための最良の形態】
【００４１】
以下、本発明の実施形態に係る光分離プリズムを図面を参照しつつ説明する。図１は、本発明の第一実施形態に係る光分離プリズム１を示す単体斜視図であり、図２は、その光分離プリズム１を使用して構成された光通信システムの要部を示す概略側面図である。
【００４２】
図１及び図２に示すように、この光分離プリズム１は、三角柱状をなし且つ屈折率が同一もしくは略同一の第一プリズム構成体２及び第二プリズム構成体３を、それぞれの底面同士を接着剤により貼り合わせて固着することにより、四つの外面２ａ、２ｂ、３ｃ、３ｄを有する四角柱状に形成されている。詳述すると、光分離プリズム１は、第一プリズム構成体２の底面と向かい合う角部２ｘを境界として隣接する第一の外面２ａ及び第二の外面２ｂと、第二プリズム構成体３の底面と向かい合う角部３ｙを境界として隣接する第三の外面３ｃ及び第四の外面３ｄと有する。そして、第一の外面２ａと第四の外面３ｄとは、貼り合わせ面４を境界として隣接するように形成されると共に、第二の外面２ｂと第三の外面３ｃとは、貼り合わせ面４を境界として隣接するように形成され、且つ、貼り合わせ面４で光が波長成分に応じて透過及び反射するように構成されている。なお、この光分離プリズム１における第一プリズム構成体２及び第二プリズム構成体３の材質は、ＢＫ−７もしくはＢＫ−７に相当するガラスである。
【００４３】
更に、この光分離プリズム１は、二個のプリズム構成体２、３の貼り合わせ面４の一側端及び他側端に存するコーナー部、つまり第一の外面２ａと第四の外面３ｄとの間の境界部、及び第二の外面２ｂと第三の外面３ｃとの間の境界部には、貼り合わせ面４に通じる切欠き部４ｘがそれぞれ形成されている。そして、一方の切欠き部４ｘは、第一プリズム構成体２の底面と第一の外面２ａとの角部に施された面取り部２ａｘと、第二プリズム構成体３の底面と第四の外面３ｄとの角部に施された面取り部３ｄｘとから形成されると共に、他方の切欠き部４ｘは、第一プリズム構成体２の底面と第二の外面２ｂとの角部に施された面取り部２ｂｘと、第二プリズム構成体３の底面と第三の外面３ｃとの角部に施された面取り部３ｃｘとから形成されている。この場合、各面取り部２ａｘ、２ｂｘ、３ｃｘ、３ｄｘは、対応する外面２ａ、２ｂ、３ｃ、３ｄに対して直角もしくは略直角な面として形成されており、したがって切欠き部４ｘは、柱軸方向（ａ−ａ方向）と直交する断面形状が、貼り合わせ面４の側端部に９０度もしくは略９０度の頂角部（底部）を有するＶ字形状とされている。
【００４４】
そして、双方の切欠き部４ｘには、柱軸方向の全長に亘って、貼り合わせ面４から食み出た接着剤Ｓが溜められた状態で固化して付着している。この双方の切欠き部４ｘに溜められた接着剤Ｓは、切欠き部４ｘから何れの外面２ａ、２ｂ、３ｃ、３ｄにも溢れ出ることなく固化されたものであって、したがってこの実施形態では、接着剤Ｓの固化物の付着面は、切欠き部４ｘの全面ではなく頂角部側で柱軸方向に連続する一部の面とされている。この場合、二個のプリズム構成体２、３を貼り合わせるための接着剤Ｓとしては、紫外線硬化型接着剤または熱硬化型接着剤が使用されている。
【００４５】
また、この実施形態では、第一プリズム構成体２における底面（貼り合わせ面４）と向かい合う角部２ｘの角度が９０度に形成されると共に、この第一プリズム構成体２における底面と第一の外面２ａとのなす角度、及び底面と第二の外面２ｂとのなす角度が何れも４５度に形成されている。しかも、第二プリズム構成体３における底面（貼り合わせ面４）と第三の外面３ｃとのなす角度が４５度に形成され、且つ、この第二プリズム構成体３における第三の外面３ｃと第四の外面３ｄとのなす角度αが９０度超で且つ１００度以下の鈍角に形成されている。したがって、第二プリズム構成体３における底面と第四の外面３ｄとのなす角度βは４５度未満で３５度以上とされている。
【００４６】
更に、この光分離プリズム１における二個のプリズム構成体２、３の何れか一方の底面には、所定波長領域の光を透過させるフィルタ膜が形成され、これにより両プリズム構成体２、３の貼り合わせ面４で波長成分に応じて光の透過と反射とが行われると共に、第二プリズム構成体３の第三の外面３ｃには、上記と異なる波長領域の光を透過させるフィルタ膜が形成されている。更に、第一プリズム構成体２の第一の外面２ａ及び第二の外面２ｂには、反射防止膜が形成されている。
【００４７】
そして、図２に示すように、この光分離プリズム１の第四の外面３ｄは、第一、第二プリズム構成体２、３よりも屈折率の低い光ファイバ５が挿通固定されたフェルール６の傾斜状端面６ａに、紫外線硬化型接着剤または熱硬化型接着剤を用いて貼り付けられると共に、第二の外面２ｂは、レーザーダイオード等の発光素子７から投光された光Ｘが直交するように照射され、且つ光ファイバ５の光軸と直交するように配置される面とされている。また、二個のプリズム構成体２、３の貼り合わせ面４は、光ファイバ５の光軸及び発光素子７からの光Ｘに対して４５度の角度で傾斜すると共に、第三の外面３ｃは、光ファイバ５から出射されて貼り合わせ面４で反射して直角に屈曲した光Ｙが直交して通過する面とされ、その光Ｙはフォトダイオード等の受光素子８により受光されるようになっている。
【００４８】
このような構成によれば、第一プリズム構成体２の底面と第二プリズム構成体３の底面との間に介在させる接着剤の量を、貼り合わせ面４に過不足なく充当するために必要な接着剤の最適量よりも若干多量としておけば、貼り合わせ面４に空間や空隙が生じることなく接着剤が充填された状態で、該接着剤が貼り合わせ面４の一側端及び他側端から食み出すことになる。その場合、この光分離プリズム１における貼り合わせ面４の一側端及び他側端に存するコーナー部には、貼り合わせ面４に通じる切欠き部４ｘがそれぞれ形成されているので、貼り合わせ面４から食み出した接着剤Ｓは、途切れることなくそれらの切欠き部４ｘに溜まり且つ固化して付着した状態となる。しかも、貼り合わせ面４から食み出す接着剤Ｓの量を、切欠き部４ｘから外面２ａ、２ｂ、３ｃ、３ｄに溢れ出ない程度の量としておけば、その食み出した接着剤Ｓを切欠き部４ｘの頂角部周辺のみに溜めて固化させることができる。これにより、接着剤の量を厳格に調整せずとも、貼り合わせ面４には空間等が生じることなく且つ不足することなく接着剤が充填されると共に、切欠き部４ｘから外面２ａ、２ｂ、３ｃ、３ｄに接着剤が溢れ出て固化することもなくなる。
【００４９】
また、この実施形態に係る光分離プリズム１によれば、光ファイバ５の光軸と第四の外面３ｄとが傾斜した状態となるため、光ファイバ５の先端からの光の一部は、第四の外面３ｄもしくはフェルール６の傾斜状端面６ａとの合わせ面で傾斜状に反射する光ｙとなり、光ファイバ５の光軸上を逆行する戻り光が発生しなくなるため、ノイズを誘引するおそれが低減されて光伝送上の機能障害を除去することができる。また、発光素子７からの光Ｘは、光分離プリズム１の第二の外面２ｂと直交し且つ光ファイバ５の光軸と同一直線上に沿う方向を指向していることから、この第二の外面２ｂを透過してその内部に侵入する際には、光の屈折が生じないことになる。更に、発光素子７からの光Ｘは、光分離プリズム１内を進行して、二個のプリズム構成体２、３の貼り合わせ面４を透過した後、光ファイバ５の光軸（コア）に対して所謂０度で入射されるため、結合効率の低下が適切に抑止されて、光伝送の損失が著しく減少する。
【００５０】
なお、光分離プリズム１の第二の外面２ｂには、反射防止膜が形成されていることから、発光素子７からの光Ｘが第二の外面２ｂに直交して照射されるにも拘わらず、その光Ｘが発光素子７に向かって逆行するという不具合が回避される。また、光分離プリズム１の第一の外面２ａにも、反射防止膜が形成されていることから、発光素子７からからの光Ｘが光分離プリズム１の貼り合わせ面４で反射した後に更に第一の外面２ａで反射して受光素子８側に向かうという不具合をも回避することができる。
【００５１】
次に、上記の構成とされた光分離プリズム１の製造方法を説明する。先ず、図３（ａ）に示すように、第一、第二プリズム構成体２、３とそれぞれ断面形状が同一の面取り部２ａｘ、２ｂｘ、３ｃｘ、３ｄｘを有する三角柱状をなし且つ柱軸方向に長尺な二本の元プリズム構成体２Ｘ、３Ｘを製作する。そして、これら二本の元プリズム構成体２Ｘ、３Ｘにおける何れか一方の底面に相当する面の全域と、第三の外面３ｃに相当する面の全域とにそれぞれフィルタ膜を形成すると共に、第一の外面２ａと第二の外面２ｂとに相当する面の全域にそれぞれ反射防止膜を形成する。これらの膜の形成は、専用の成膜ジグに元プリズム構成体２Ｘ、３Ｘをそれぞれ複数本セットした状態で、スパッタもしくは蒸着により行なわれる。その後、同図（ｂ）に示すように、二本の元プリズム構成体２Ｘ、３Ｘの底面同士を紫外線硬化型または熱硬化型の接着剤により貼り合わせて四つの外面を有する元角柱プリズム１Ｘを製作する。これにより、元角柱プリズム１Ｘの貼り合わせ面４の両側端に柱軸方向の全長に亘る切欠き部４ｘがそれぞれ形成されると共に、これらの切欠き部４ｘに、その全長に亘って連続して接着剤Ｓが溜められて固化して付着した状態となる。更にその後、同図（ｃ）に示すように、元角柱プリズム１Ｘを柱軸方向の複数箇所で切断することにより、複数個の光分離プリズム１を得る。
【００５２】
図４は、本発明の第二実施形態に係る光分離プリズム１を例示している。この第二実施形態に係る光分離プリズム１が、上述の第一実施形態に係る光分離プリズム１と相違しているところは、第一プリズム構成体２及び第二プリズム構成体３における柱軸方向と直交する断面の基本形状が二等辺直角三角形とされている点である。その他の構成は、上述の第一実施形態と同一であるので、両者に共通の構成要件については同一符号を付し、その説明を省略する。そして、この第二実施形態によれば、切欠き部４ｘに接着剤Ｓが溜められた状態で固化して付着している点に関しては、上述の第一実施形態と同様の作用効果が得られる。
【００５３】
図５は、本発明の第三実施形態に係る光分離プリズム１を例示している。この第三実施形態に係る光分離プリズム１が、上述の第一実施形態と相違しているところは、第一プリズム構成体２における底面と第二の外面２ｂとのなす角度が４５度とされた上で、底面と向かい合う角部２ｘの角度が９０度ではなく鋭角になっている点である。その他の構成は、上述の第一実施形態と同一であるので、両者に共通の構成要件については同一符号を付し、その説明を省略する。そして、この第三実施形態によれば、切欠き部４ｘに接着剤Ｓが溜められた状態で固化して付着している点と、戻り光の発生抑止及び結合効率の低下抑止の点とに関して、上述の第一実施形態と同様の作用効果が得られることに加えて、発光素子からの光が貼り合わせ面４で反射した後に更に第一の外面２ａで反射した場合には、第三の外面３ｃを直交して通過せず、受光素子に向かわなくなるため、第一の外面２ａに反射防止膜を形成することが不要になるという利点をも得ることができる。
【００５４】
図６は、本発明の第四実施形態に係る光分離プリズム１を例示している。この第四実施形態に係る光分離プリズム１が、上述の第一実施形態と相違しているところは、第一プリズム構成体２における底面と第二の外面２ｂとのなす角度が４５度とされた上で、底面と向かい合う角部２ｘの角度が９０度ではなく鈍角になっている点である。その他の構成は、上述の第一実施形態と同一であるので、両者に共通の構成要件については同一符号を付し、その説明を省略する。そして、この第四実施形態によっても、切欠き部４ｘに接着剤Ｓが溜められた状態で固化して付着している点と、戻り光の発生抑止及び結合効率の低下抑止の点とに関しては、上述の第一実施形態と同様の作用効果が得られることに加えて、上述の第三実施形態と同様に、発光素子からの光が貼り合わせ面４で反射した後に更に第一の外面２ａで反射した場合には、第三の外面３ｃを直交して通過せず、受光素子に向かわなくなるため、第一の外面２ａに反射防止膜を形成することが不要になるという利点をも得ることができる。
【００５５】
図７は、本発明の第五実施形態に係る光分離プリズム１を例示している。この第五実施形態に係る光分離プリズム１が、上述の第一実施形態と相違しているところは、第一プリズム構成体２における第一の外面２ａと第二の外面２ｂとのなす角度が鈍角とされ且つ第二プリズム構成体３における第三の外面３ｃと第四の外面３ｄとのなす角度も鈍角とされて、両プリズム構成体２、３の断面形状が二等辺三角形とされていることにより、柱軸と直角な断面形状が平行四辺形を呈している点と、第二プリズム構成体３の第三の外面３ｃに、四角柱状（柱軸と直角な断面形状が平行四辺形）をなす第三プリズム構成体１４を上記と同様の接着剤を使用して貼り合わせて固着することにより、全体として四角柱状（柱軸と直角な断面が平行四辺形）をなすように構成した点とである。そして、第三プリズム構成体１４には、その貼り合わせ面３ｃの両側端に通じる切欠き部（欠落部）１４ｘがそれぞれ形成され、一方（右側）の欠落部１４ｘと、第二プリズム構成体３における第三の外面３ｃの露出部分とから、矩形の溝状凹部が形成されると共に、他方（左側）の欠落部１４ｘと、第二プリズム構成体３の面取り部３ｃｘとが面一とされて、当該欠落部１４ｘと切欠き部４ｘとが連続してなる矩形の溝状凹部が形成されている。この構成では、第三プリズム構成体１４の二つの欠落部１４ｘと、第二プリズム構成体３の第三の外面３ｃとのそれぞれの連接部１４ｙに、貼り合わせ面３ｃから食み出した接着剤Ｓが溜められた状態で固化して付着された状態にある。したがって、この第五実施形態によっても、切欠き部４ｘ及び連接部１４ｙに接着剤Ｓが溜められた状態で固化して付着している点に関しては、上述の第一実施形態と同様の作用効果が得られる。また、この第五実施形態に係る光分離プリズム１の製造方法は、既に図３に基づいて説明した事項と基本的には同一であるが、この場合には、面取り部を有する三角柱状をなし且つ柱軸方向に長尺な二本の元プリズム構成体と、欠落部を有する四角柱状をなし且つ柱軸方向に長尺な一本の元プリズム構成体を製作し、これら三本の元プリズム構成体の所要の面にフィルタ膜や反射防止膜を形成した後、三本の元プリズム構成体を紫外線硬化型または熱硬化型の接着剤により貼り合わせて四つの外面を有する元角柱プリズムを製作する。これにより、元角柱プリズムに柱軸方向の全長に亘る切欠き部と連接部とがそれぞれ形成されると共に、これらの切欠き部と連接部とに、その全長に亘って連続して接着剤Ｓが溜められて固化して付着した状態となる。その後、元角柱プリズムを柱軸方向の複数箇所で切断することにより、複数個の光分離プリズム１を得ることができる。なお、この第五実施形態に係る光分離プリズム１は、同図に符号Ａで示す光は直進するが、符号Ｂで示す光は、一部が貼り合わせ面４で反射した後に直進するのに対して、残りの一部が符号Ｃで示すように更に貼り合わせ面３ｃと貼り合わせ面４とで反射する。
【００５６】
図８は、本発明の第六実施形態に係る光分離プリズム１を例示している。この第六実施形態に係る光分離プリズム１が、上述の第一実施形態と相違しているところは、四個の三角柱状のプリズム構成体１５のそれぞれの底面１５ａによって四つの外面が構成され、それらのプリズム構成体１５の底面１５ａを除く二面同士がそれぞれ上記と同様の接着剤により固着されて四つの貼り合わせ面１６、１７、１８、１９が形成されている点と、それら四つの貼り合わせ面１６、１７、１８、１９がコーナー部に達している部位にそれぞれ切欠き部１５ｘが形成されている点とである。この場合、計四つの切欠き部１５ｘは、四つのプリズム構成体１５の底面１５ａの両端部に形成されて隣り合う位置にある一対の面取り部１５ｃによってそれぞれ形成されている。そして、この第六実施形態によっても、切欠き部１５ｘに接着剤Ｓが溜められた状態で固化して付着している点に関しては、上述の第一実施形態と同様の作用効果が得られる。また、この第六実施形態に係る光分離プリズム１の製造方法は、既に図３に基づいて説明した事項と基本的には同一であるが、この場合には、面取り部を有する三角柱状をなし且つ柱軸方向に長尺な四本の元プリズム構成体を製作し、これら四本の元プリズム構成体の所要の面にフィルタ膜や反射防止膜を形成した後、四本の元プリズム構成体を紫外線硬化型または熱硬化型の接着剤により貼り合わせて四つの外面を有する元角柱プリズムを製作する。これにより、元角柱プリズムの四つのコーナー部に柱軸方向の全長に亘る切欠き部がそれぞれ形成されると共に、これらの切欠き部に、その全長に亘って連続して接着剤Ｓが溜められて固化して付着した状態となる。その後、元角柱プリズムを柱軸方向の複数箇所で切断することにより、複数個の光分離プリズム１を得ることができる。なお、この第六実施形態に係る光分離プリズム１は、光の一部が符号Ｄで示すように直進するが、残りの一部は符号Ｅで示すように貼り合わせ面１７で反射し、更に残りの一部は符号Ｆで示すように貼り合わせ面１８で反射する。
【００５７】
図９は、本発明の第七実施形態に係る光分離プリズム１を例示している。この第七実施形態に係る光分離プリズム１が、上述の第一実施形態と相違しているところは、中央に存する単一の三角柱状のプリズム構成体２０の底面を除く二面に、二個の三角柱状のプリズム構成体２１の一面がそれぞれ上記と同様の接着剤により固着されて二つの貼り合わせ面２２、２３が形成されている点である。この場合、中央のプリズム構成体２０の三つの角部に形成された面取り部２０ｃと、両側の二個のプリズム構成体２１のそれぞれの二つの角部に形成された面取り部２１ｃとのうち、隣り合う位置にある一対の面取り部２０ｃ、２１ｃによってそれぞれ切欠き部２４ｘが形成されている。詳述すると、三個のプリズム構成体２０、２１、２１からなる四角柱状体の二つのコーナー部と一つの外面とに、切欠き部２４ｘがそれぞれ形成されると共に、一つの外面については、二つの切欠き部２４ｘにより矩形の溝状凹部が形成されている。そして、この第七実施形態によっても、切欠き部２２ｘに接着剤Ｓが溜められた状態で固化して付着している点に関しては、上述の第一実施形態と同様の作用効果が得られる。また、この第七実施形態に係る光分離プリズム１の製造方法は、既に図３に基づいて説明した事項と基本的には同一であるが、この場合には、面取り部を有する三角柱状をなし且つ柱軸方向に長尺な三本の元プリズム構成体を製作し、これら三本の元プリズム構成体の所要の面にフィルタ膜や反射防止膜を形成した後、三本の元プリズム構成体を紫外線硬化型または熱硬化型の接着剤により貼り合わせて四つの外面を有する元角柱プリズムを製作する。これにより、元角柱プリズムの二つのコーナー部と一つの外面とに柱軸方向の全長に亘る切欠き部がそれぞれ形成されると共に、これらの切欠き部に、その全長に亘って連続して接着剤Ｓが溜められて固化して付着した状態となる。その後、元角柱プリズムを柱軸方向の複数箇所で切断することにより、複数個の光分離プリズム１を得ることができる。なお、この第七実施形態に係る光分離プリズム１は、光の一部が符号Ｇで示すように直進するが、残りの一部は符号Ｈで示すように貼り合わせ面２２で反射し、更に残りの一部は符号Ｉで示すように貼り合わせ面２３で反射する。
【図面の簡単な説明】
【００５８】
【図１】本発明の第一実施形態に係る光分離プリズムを示す単体斜視図である。
【図２】本発明の第一実施形態に係る光分離プリズムを使用して構成された光通信システムの要部を示す概略側面図である。
【図３】図３（ａ）、（ｂ）、（ｃ）はそれぞれ本発明の第一実施形態に係る光分離プリズムの製造手順を示す概略斜視図である。
【図４】本発明の第二実施形態に係る光分離プリズムを使用して構成された光通信システムの要部を示す概略側面図である。
【図５】本発明の第三実施形態に係る光分離プリズムを使用して構成された光通信システムの要部を示す概略側面図である。
【図６】本発明の第四実施形態に係る光分離プリズムを使用して構成された光通信システムの要部を示す概略側面図である。
【図７】本発明の第五実施形態に係る光分離プリズムを示す概略側面図である。
【図８】本発明の第六実施形態に係る光分離プリズムを示す概略側面図である。
【図９】本発明の第七実施形態に係る光分離プリズムを示す概略側面図である。
【図１０】従来の第一の例に係る光分離プリズムを使用して構成された光通信システムの要部を示す概略側面図である。
【図１１】従来の第二の例に係る光分離プリズムを示す概略側面図である。
【図１２】従来の第三の例に係る光分離プリズムを示す概略側面図である。
【図１３】従来の第四の例に係る光分離プリズムを示す概略側面図である。
【符号の説明】
【００５９】
１  光分離プリズム
２  プリズム構成体（第一プリズム構成体）
２ａ  第一の外面
２ａｘ  面取り
２ｂ  第二の外面
２ｂｘ  面取り
３  プリズム構成体（第二プリズム構成体）
３ｃ  第三の外面
３ｃｘ  面取り
３ｄ  第四の外面
３ｄｘ  面取り
４  貼り合わせ面
４ｘ  切欠き部
５  光ファイバ
６  フェルール
６ａ  フェルールの端面
７  発光素子
８  受光素子
１４  四角柱状プリズム構成体（第三プリズム構成体）
１４ｘ  欠落部（切欠き部）
１４ｙ  連接部
１５  プリズム構成体
１５ｃ  面取り部
１５ｘ  切欠き部
１６  貼り合わせ面
１７  貼り合わせ面
１８  貼り合わせ面
１９  貼り合わせ面
２０  プリズム構成体
２０ｃ  面取り部
２１  プリズム構成体
２１ｃ  面取り部
２２  貼り合わせ面
２３  貼り合わせ面
２４ｘ  切欠き部
Ｓ  接着剤
Ｘ  発光素子からの光
Ｙ  光ファイバからの光
ｙ  戻り光
【図１】
2009168940.tif 000003
【図２】
2009168940.tif 000004
【図３】
2009168940.tif 000005
【図４】
2009168940.tif 000006
【図５】
2009168940.tif 000007
【図６】
2009168940.tif 000008
【図７】
2009168940.tif 000009
【図８】
2009168940.tif 000010
【図９】
2009168940.tif 000011
【図１０】
2009168940.tif 000012
【図１１】
2009168940.tif 000013
【図１２】
2009168940.tif 000014
【図１３】
2009168940.tif 000015